(57)【要約】【課題】化粧枠の枠固定用ねじの抜け防止を行うワッシャの紛失を抑制できる照明装置を提供すること。【解決手段】照明装置が、光源、光源からの光が通過する貫通孔を有し、Ｚ方向の光出射側に環状のフランジ部８４を有する化粧枠８０、光源に対して静止している静止部に化粧枠８０を固定するための枠固定用ねじ９２、枠固定用ねじ９２の軸部に嵌め込まれ、Ｚ方向の光出射側が化粧枠８０のＺ方向の端面と接触することで枠固定用ねじ９２が化粧枠８０から抜け出るのを抑制するワッシャ９４、及び、化粧枠８０に対して静止し、ワッシャ９４が軸部から抜けることを防止できる位置に配置されるワッシャ抜止部を備えるようにする。【選択図】図１１
2020087555.tif 000002
【特許請求の範囲】
【請求項１】
光源と、
前記光源からの光が通過する貫通孔を有し、光軸方向の光出射側に環状のフランジ部を有する化粧枠と、
前記光源に対して静止している静止部に前記化粧枠を固定するための枠固定用ねじと、
前記枠固定用ねじの軸部に嵌め込まれ、前記光軸方向の前記光出射側が前記化粧枠の前記光軸方向の端面と接触することで前記枠固定用ねじが前記化粧枠から抜け出るのを抑制するワッシャと、
前記化粧枠に対して静止し、前記ワッシャが前記軸部から抜けることを防止できる位置に配置されるワッシャ抜止部と、
を備える、照明装置。
【請求項２】
透光性を有する材料で構成される板状のカバー部を含み、水分が光軸方向の光出射側から前記光源側に浸入するのを抑制できる防水カバーと、
前記防水カバーよりも前記光軸方向の前記光源側に配置され、環状の板形状を有する押え部材と、
前記押え部材が前記防水カバーを前記光出射側に押圧するように前記押え部材を前記化粧枠に固定するための押え部材固定用ねじと、を備え、
前記押え部材が、前記軸部との距離が前記ワッシャが通過できない距離となっている軸部側部分を有して、前記ワッシャ抜止部が、その軸部側部分を含む、請求項１に記載の照明装置。
【請求項３】
前記押え部材が、前記光軸方向の両側と径方向の外方側に開口する切欠きを有し、
前記軸部は、前記切欠きに収容される収容部を含み、
前記軸部側部分が、前記切欠きの内面を含む、請求項２に記載の照明装置。
【請求項４】
前記切欠きの内面が、前記軸部に対して間隔をおいて位置する、請求項３に記載の照明装置。
【発明の詳細な説明】
【技術分野】
【０００１】
本開示は、照明装置に関する。
【背景技術】
【０００２】
従来、照明装置としては、特許文献１に記載されているものがある。この照明装置は、ダウンライトであり、天井に設けられた略円筒状の取付孔に埋め込み配置される。この照明装置は、基台、ＬＥＤ、化粧枠、及び取付バネを備える。取付バネは、化粧枠から径方向外側に延在する部分を有し、取付バネは、取付孔の内周面から径方向内側の力を受け、照明装置は、その径方向内側の力によって取付孔に固定される。ＬＥＤは、基台の光出射側の端面に取り付けられ、化粧枠は、ＬＥＤを取り囲むように配置される筒状部と、筒状部の下側に設けられた化粧フランジ部を有する。化粧フランジ部は、照明装置が取付孔に設置されたときの照明装置の下方からの美観を良好なものにするために設けられる。
【先行技術文献】
【特許文献】
【０００３】
【特許文献１】特開２０１６−２０７３７５号公報
【発明の概要】
【発明が解決しようとする課題】
【０００４】
光源に対して静止している静止部に光軸方向に延在するねじで化粧枠を固定すると化粧枠を確実に固定できて好ましい。更には、化粧枠の上面に引っ掛かることでねじの落下を抑制するワッシャをねじの軸部に嵌め込むとより好ましい。しかし、ワッシャは、小さな部品でしかも軸部から外れ易い。よって、ワッシャを紛失し易い。
【０００５】
そこで、本開示の目的は、化粧枠の枠固定用ねじの抜け防止を行うワッシャの紛失を抑制できる照明装置を提供することにある。
【課題を解決するための手段】
【０００６】
上記課題を解決するため、本開示の照明装置は、光源と、光源からの光が通過する貫通孔を有し、光軸方向の光出射側に環状のフランジ部を有する化粧枠と、光源に対して静止している静止部に化粧枠を固定するための枠固定用ねじと、固定用ねじの軸部に嵌め込まれ、光軸方向の光出射側が化粧枠の光軸方向の端面と接触することで枠固定用ねじが化粧枠から抜け出るのを抑制するワッシャと、化粧枠に対して静止し、ワッシャが軸部から抜けることを防止できる位置に配置されるワッシャ抜止部と、を備える。
【発明の効果】
【０００７】
本開示に係る照明装置によれば、化粧枠の固定用のねじの抜け防止を行うワッシャの紛失を抑制できる。
【図面の簡単な説明】
【０００８】
【図１】本開示の一実施形態に係る照明装置の斜視図である。
【図２】照明装置を図１とは別の方向から見たときの斜視図である。
【図３】照明装置における取付枠の本体の斜視図である
【図４】照明装置の主要構成の分解斜視図である。
【図５】光源モジュールを保持した状態で基台の主面に取り付けられた基板ホルダを下側から見たときの斜視図である。
【図６】光源モジュールを保持している基板ホルダを上側から見たときの斜視図である。
【図７】照明装置のレンズアッセンブリの斜視図である。
【図８】レンズアッセンブリが、光源モジュールを保持した基板ホルダと接触している状態を下側から見たときの斜視図である。
【図９】図８に示す接触状態を上側から見たときの斜視図である。
【図１０】化粧枠アッセンブリに対するレンズの相対位置を説明する斜視図である。
【図１１】化粧枠アッセンブリの分解斜視図である。
【図１２】化粧枠アッセンブリの化粧枠を上側から見たときの斜視図である。
【図１３】防水カバーが所定箇所に配置された化粧枠の斜視図である。
【図１４】化粧枠アッセンブリを上側から見たときの斜視図である。
【図１５】化粧枠アッセンブリを下側から見たときの斜視図である。
【図１６】取付枠の本体を図３とは異なる方向から見たときの斜視図である。
【発明を実施するための形態】
【０００９】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、以下の実施例では、異なる図間において、各部材における、縦、横、高さ等の寸法比は、必ずしも一致しない。また、以下の説明及び図面において、Ｒ方向は、以下で説明する化粧枠８０のフランジ部８４の径方向を示し、θ方向は、フランジ部８４の周方向を示す。また、Ｚ方向は、化粧枠８０の高さ方向を示し、照明装置１の高さ方向に一致し、光軸方向にも一致する。Ｒ方向、θ方向、及びＺ方向は、互いに直交する。また、以下の説明で、中心軸とは、レンズ５０の中心軸を含む直線を示す。また、以下の説明では、Ｚ方向が、照明装置１の光源４２から出射される光の光軸方向に一致する場合について説明する。すなわち、鉛直方向や水平方向に関連する文言、例えば、下側、上側、水平方向等を用いた場合、それらの文言は、照明装置１からの出射光が鉛直方向下側に照射され、その出射光の光軸が鉛直方向に一致している状態で表現されている。しかし、Ｚ方向は、照明装置の光源から出射される光軸方向に一致しなくてもよい。また、本明細書では、下側（下方）とは、Ｚ方向の投光側（光出射側）のことを指し、上側（上方）とは、Ｚ方向の投光側とは反対側を指す。また、以下で説明される構成要素のうち、最上位概念を示す独立請求項に記載されていない構成要素については、任意の構成要素であり、必須の構成要素ではない。
【００１０】
図１は、本開示の一実施形態に係る照明装置１の斜視図であり、図２は、照明装置１を図１とは別の方向から見たときの斜視図である。また、図３は、取付枠３の本体３１の斜視図である。図１及び図２に示すように、照明装置１は、筐体２と、取付枠３を備え、筐体２は、基台２１を有する。基台２１は、照明装置１の外郭部材であり、有底円筒状部２２を有する。基台２１は、有底円筒状部２２内に光源４２（図５参照）を取り付ける取付台として機能する。基台２１は、上方に突出する複数のフィン２３を有する。基台２１全体は、光源４２で発生する熱を放散させる役割を果たし、特にフィン２３が光源４２からの熱を外気に放熱する。このため、基台２１は、金属材料等の熱伝導率の高い材料によって構成されると好ましい。基台２１は、例えば、アルミダイカスト等で、有底円筒状部２２とフィン２３を一体成形することで構成される。なお、基台は、有底円筒状部とフィンを接合する構成でもよい。この場合、例えば、有底円筒状部に設けた突起を、フィンに設けられた孔に挿入した後に塑性変形させることで、有底円筒状部とフィンを接続してもよい。なお、基台は、フィンを有さなくてもよい。
【００１１】
一方、取付枠３は、照明装置本体４をホール等の建物の天井に配置された取付孔（図示せず）等に設置するために設けられ、本体３１と、係止部材３２を有する。図３に示すように、本体３１は、環状部３１ａと、環状部３１ａからＺ方向上側に立設された一対の取付枠固定部３１ｂを含み、一対の取付枠固定部３１ｂは、環状部３１ａの中心軸を挟んだ状態でＲ方向に対向する。図１に示すように、基台２１は、Ｚ方向に延在するねじ２４を固定するねじ孔を有し、図３に示すように、環状部３１ａは、ねじ孔３１ｃを有する。ねじ２４を基台２１の該ねじ孔及びねじ孔３１ｃに順次締め込むことで、本体３１が基台２１に固定される。図２に示すように、照明装置１は、Ｌ字状に屈曲した第１及び第２取付金具５,６を有する。第１取付金具５の第１板状部５ａは、ねじ８で取付枠固定部３１ｂに取り付けられ、第２取付金具６の第１板状部６ａは、第１取付金具５においてＺ方向に延在する第２板状部５ｂにねじ９で取り付けられる。係止部材３２は、Ｌ字状に屈曲する部分を有し、その第１板状部３２ａは、第２取付金具６の第２板状部６ｂの上部にねじ７で取り付けられる。第１板状部３２ａが第２取付金具６に固定された状態で、係止部材３２の第２板状部３２ｂは、Ｚ方向に延在する。このようにして、取付枠３が、基台２１に取り付けられる。係止部材３２の第１板状部３２ａの下面と第２板状部３２ｂの基台２１側の面とは、係止スペース３６を画定する。例えば、天井の取付孔内に設置された棒状部をこの係止スペースに配置することで、照明装置１をその取付孔に設置する。なお、照明装置を取付孔に設置する取付部は、照明装置を天井に固定できる構造であれば如何なる構造を有してもよい。例えば、照明装置の外周側に複数の取付バネを設置して、取付バネを歪ませて、取付バネを取付孔の周囲に当接させることで、取付バネが取付孔の内面から受ける水平方向の力で、照明装置を天井の取付孔の内面に固定してもよい。
【００１２】
次に、照明装置１の全体構造、及び照明装置１が備える各部材の構造について説明する。具体的には、図４、すなわち、照明装置１の主要構成の分解斜視図を用いて照明装置１の主要構成の概略構成について簡単に説明した後、図５以下の図を用いて、各部材の構造等について詳細に説明する。図４に示すように、照明装置１は、基台２１と取付枠３に加えて、光源モジュール４０、基板ホルダ４５、反射部材５５、レンズ６５、押え部材７０、円板状のカバー部７４、環状のパッキン７３、第１及び第２環状部材７６,７７、及び化粧枠８０を備える。基板ホルダ４５は、光源モジュール４０を保持した上で、基台２１に固定される。また、反射部材５５は、光源からの光をレンズ６５に効率的に導くため等に設けられ、レンズ６５を係止する。また、押え部材７０は、カバー部７４とその外径側に取り付けられたパッキン７３で構成された防水カバーを、化粧枠８０の上側端面に押圧した状態でその上側端面に固定される。また、詳述しないが、第１及び第２環状部材７６,７７は、意匠性の向上等の目的等でねじや係止構造等を用いて照明装置１の外周側かつ下側に取り付けられる。
【００１３】
図５は、光源モジュール４０を保持した状態で基台２１の主面２８に取り付けられた基板ホルダ４５を下側から見たときの斜視図であり、図６は、光源モジュール４０を保持している基板ホルダ４５を上側から見たときの斜視図である。図５に示すように、光源モジュール４０は、基板４１と、光源４２を有する。基板４１は、平面視で略矩形の形状を有し、光源４２は、円板状の形状を有し、基板４１の下面（実装面）の略中央に配設される。光源モジュール４０は、例えば、ＣＯＢ（Chip On Board）構造を有し、光源４２は、基板４１に実装された複数のＬＥＤ（light emitting diode）と、複数のＬＥＤを封止する封止部材を含む。
【００１４】
基板４１は、例えば、セラミックス基板、樹脂基板、又はメタルベース基板等で構成される。詳述しないが、基板４１には、一対の電極端子と、所定パターンの金属配線が形成される。一対の電極端子は、ＬＥＤを発光させるための直流電力を外部から受電するために設けられる。また、所定パターンの金属配線は、ＬＥＤ同士を電気的に接続するために設けられる。
【００１５】
ＬＥＤは、発光素子の一例である。ＬＥＤは、例えば、単色の可視光を発するベアチップで構成され、通電されれば青色光を発する青色ＬＥＤチップで構成される。複数のＬＥＤは、例えば基板４１にマトリクス状に配置される。なお、ＬＥＤは、基板に１つのみ実装されてもよい。封止部材は、例えば、透光性樹脂で構成され、蛍光体を含む。蛍光体は、ＬＥＤからの光を波長変換する役割を果たす。封止部材は、例えば、シリコーン樹脂に蛍光体粒子を分散させた蛍光体含有樹脂で構成される。光源モジュール４０が白色光を出射し、ＬＥＤが青色光を発光する青色ＬＥＤチップである場合、蛍光体粒子は、例えばＹＡＧ系の黄色蛍光体で構成される。
【００１６】
なお、封止部材は、例えば、全てのＬＥＤを一括封止してもよく、複数のＬＥＤを列ごとにライン状に封止してもよく、各ＬＥＤを１つずつ個別に封止してもよい。また、光源は、ＬＥＤ以外の発光素子で構成されてもよく、半導体レーザ素子や、有機ＥＬ（Electro Luminescence）素子若しくは無機ＥＬ素子等の固体発光素子等で構成されてもよい。又は、光源は、白熱灯や蛍光灯で構成されてもよい。
【００１７】
光源モジュール４０は、基板ホルダ４５に保持される。詳しくは、基板ホルダ４５は、基板収容部２９を下側に有し、基板収容部２９の外縁は、下側に突出する外側壁部３４で部分的に覆われる。基板４１は、基板収容部２９に下側から収容される。図６に示すように、基板ホルダ４５は、貫通孔４６と、ねじ孔４７と、基板係止部３３を有し、基板係止部３３は、Ｚ方向から見たとき平面矩形状の基板４１に重なる。基板係止部３３の光出射側の面は、Ｚ方向に略直交する平面部で構成される。基板４１の上側面が、その平面部に接触することで、光源モジュール４０の上側への移動が規制される。
【００１８】
図５に示すように、照明装置１は、２つのホルダ固定部材３７を有し、２つのホルダ固定部材３７は、基板４１の下側かつ長手方向又は幅方向の両側に配置される。ホルダ固定部材３７は、ねじ孔（図示せず）と、基板受部３７ａを有し、基板受部３７ａは、Ｚ方向から見たときに基板４１の長手方向又は幅方向の両側端部に重なる。基板４１は、基板受部３７ａで主面２８側に押圧されることで基台２１に固定される。ねじ４８を、下側から、ホルダ固定部材３７の上記ねじ孔、基板ホルダ４５のねじ孔４７（図６参照）、及び基台２１の主面２８に設けられたねじ孔（図示せず）に順次締め込むことで、基台２１、基板ホルダ４５、光源モジュール４０、及び２つのホルダ固定部材３７が、一体に統合される。
【００１９】
次に反射部材５５とレンズ６５の統合について説明する。図７は、レンズアッセンブリ７８の斜視図である。また、図８は、レンズアッセンブリ７８が、光源モジュール４０を保持した基板ホルダ４５と接触している状態を下側から見たときの斜視図であり、図９は、図８に示す接触状態を上側から見たときの斜視図である。図７に示すように、レンズアッセンブリ７８は、レンズ６５と、それを保持する反射部材５５を含む。反射部材５５は、例えば白色樹脂材料によって形成される。反射部材５５を構成する樹脂材料としては、ポリブチレンテレフタレート等を好適に使用できる。なお、反射部材５５は、アルミニウム等の金属材料によって形成されてもよく、樹脂成型品の内面にアルミニウム等の金属膜を形成したものでもよい。
【００２０】
反射部材５５は、上側に円錐状部５６を有し、円錐状部５６の中央部には、貫通孔５７が設けられる。また、円錐状部５６において貫通孔５７を取り囲む上面５８は、Ｚ方向に直交する平面上に略位置する。図８及び図９に示す、光源モジュール４０（図９参照）、基板ホルダ４５、及び反射部材５５（図８参照）が一体になった状態で、例えば、基板４１（図９参照）の下面が、上面５８（図７参照）に隙間なく当接し、その状態で、光源４２が、貫通孔５７の上側領域に収容される。その結果、光源４２からの光が、貫通孔５７内に効率的に導光される。
【００２１】
図８に示すように、レンズ６５は、Ｒ方向外方側に突出する複数の係合部６８を有する。また、反射部材５５は、Ｒ方向外方に突出するレンズ保持部５９を有し、レンズ保持部５９は、高さ方向延在部５９ａと、係合爪５９ｂを含む。高さ方向延在部５９ａは、反射部材５５の本体部６７の円筒外周面６２に対してＲ方向に間隔をおいてＺ方向に延在する。また、係合爪５９ｂは、高さ方向延在部５９ａの先端部からＲ方向内方側に突出する。レンズ６５の係合部６８における先端側かつ下側を係合爪５９ｂに係合することで、レンズ６５が反射部材５５と一体に統合される。
【００２２】
レンズ６５は、透光性を有する透光性材料によって構成され、例えば、アクリル、ポリカーボネート、シリコーン等の透明樹脂材料、又は、ガラス材料によって形成される。図７を参照して、貫通孔５７の内周面６４は、例えば、内径が下側に行くにしたがって大きくなる円錐内周面を含む。レンズ６５は、反射部材５５にＺ方向に隙間がない状態で取り付けられる。貫通孔５７の円錐内周面は、光源４２からの光をレンズ６５側に反射する。図８に示すように、基板ホルダ４５は、側壁部にＲ方向内側に窪む凹部４５ａを有し、反射部材５５も、側壁部にＲ方向内側に窪む凹部５５ａを有する。また、基板ホルダ４５と反射部材５５が一体となった状態で、凹部４５ａと凹部５５ａは、互いに相まってＺ方向に延在する一体の凹部６１を構成する。この凹部６１には、取付枠３（図３参照）を基台２１（図１参照）に固定するねじ２４（図１）の軸部の一部が収容される。軸部の一部の凹部６１への収容により、反射部材５５が基板ホルダ４５に対して水平方向に位置決めされる。
【００２３】
図１０は、化粧枠アッセンブリ９０に対するレンズ６５の相対位置を説明する斜視図である。化粧枠アッセンブリ９０は、押え部材７０、円板状のカバー部７４（図４参照）、環状のパッキン７３（図４参照）、及び化粧枠８０が一体に統合された統合構造を含む。図１０に示すように、レンズ６５は、Ｒ方向外方側に突出する複数の係止部６９を有する。この係止部６９は、化粧枠アッセンブリ９０の押え部材７０の上面７１に係止され、その結果、レンズ６５のＺ方向位置が位置決めされる。後で説明するが、化粧枠アッセンブリ９０は、取付枠３に取り付けられる。また、上述のように、取付枠３は、基台２１に取り付けられ、基台２１と一体となっている。したがって、この取付で、化粧枠アッセンブリ９０とレンズアッセンブリ７８（図７参照）が取付枠３を介して基台２１に統合され、照明装置１が組み立てられる。
【００２４】
次に、化粧枠アッセンブリ９０の構造について詳細に説明する。図１１は、化粧枠アッセンブリ９０の分解斜視図である。化粧枠アッセンブリ９０は、化粧枠８０、防水カバー９５、押え部材７５、複数の枠固定用ねじ９２、複数のワッシャ９４、及び複数の押え部材固定用ねじ９９を備える。化粧枠８０は、下側にＲ方向外方に突出する環状のフランジ部８４を有する。このフランジ部８４は、照明装置１が所定位置に設置されたときの照明装置１の下方からの美観を良好なものにするために設けられる。また、防水カバー９５は、円板状のカバー部７４と、その外周側に外嵌されて固定された環状のパッキン７３で構成される。カバー部７４は、透光性を有する材料で構成され、例えば、アクリル、ポリカーボネート、シリコーン等の透明樹脂材料、又は、ガラス材料によって形成される。また、パッキン７３は、例えば、ゴムで構成される。なお、防水カバーは、パッキンを有さなくてもよく、カバー部のみで構成されてもよい。
【００２５】
図１２は、化粧枠８０を上側から見たときの斜視図である。図１２に示すように、化粧枠８０は、底面８２、貫通孔である円筒孔８１、複数の第1ねじ孔８５、複数の第２ねじ孔８９、及び複数の円弧壁部８３を有する。円弧壁部８３は、円筒孔８１からＲ方向に間隔をおいた位置に設けられ、底面８２からＺ方向上側に突出する。円弧壁部８３のＲ方向内側の内壁面８３ａは、円筒内周面の一部で構成され、その円筒内周面の中心軸は、円筒孔８１の中心軸に略一致する。複数の円弧壁部８３が有する複数の内壁面８３ａと、底面８２において円弧壁部８３よりもＲ方向内側に位置する内方部分８２ａは、円板状の防水カバー９５（図１１参照）を収容するカバー収容部８８を画定する。第１ねじ孔８５は、底面８２をＺ方向に貫通するように設けられる。また、化粧枠８０は、底面８２からＺ方向に突出すると共に円弧壁部８３からＲ方向外方側に突出するボス部８６を有し、ボス部８６は、Ｚ方向に延在する第２ねじ孔８９を含む。
【００２６】
図１３に示すように、防水カバー９５は、例えば圧入によりカバー収容部８８に収容され、防水カバー９５のパッキン７３（図１１参照）は、円弧壁部８３（図１２参照）の内壁面８３ａからの力でＲ方向内側に圧縮される。また、防水カバー９５が、カバー収容部８８に収容された状態で、Ｚ方向から見たとき、円板状のカバー部７４の全ての部分が、円筒孔８１に重なる。図１３に示すように、第１ねじ孔８５（図１２参照）には、枠固定用ねじ９２が下側から締めこまれ、枠固定用ねじ９２の軸部９７の先端側部分９７ａは、第１ねじ孔８５を通過する。先端側部分９７ａには、ワッシャ９４が圧入により嵌め込み固定される。ワッシャ９４が底面８２に接触することで、枠固定用ねじ９２が第１ねじ孔８５を通過して下方に落下することを防止できる。ワッシャ９４が先端側部分９７ａに嵌め込み固定された状態で、ワッシャ９４は僅かな隙間を介して防水カバー９５にＲ方向に対向する。
【００２７】
図１４は、化粧枠アッセンブリ９０を上側から見たときの斜視図である。押え部材７５は、金属製の板状部材であり、複数のねじ孔７９（図１１参照）を有する。図１３に示す状態から、押え部材７５を防水カバー９５に上側から被せ、図１４に示すように、押え部材固定用ねじ９９を上側から押え部材７５のねじ孔７９と化粧枠８０の第２ねじ孔８９（図１３）に順次締め込む。これにより、化粧枠８０、防水カバー９５、押え部材７５、及び複数の押え部材固定用ねじ９９が一体に統合される。
【００２８】
図１４に示すように、押え部材７５は、Ｚ方向の両側とＲ方向の外方側に開口する切欠き９６を有し、枠固定用ねじ９２の軸部９７は、切欠き９６に収容される収容部９７ｂを含む。切欠き９６の内面は、収容部９７ｂに間隔をおいて位置する。ワッシャ９４の厚さは、防水カバー９５の厚さよりも小さい。よって、ワッシャ９４が底面８２に当接している状態で、押え部材７５は、ワッシャ９４にＺ方向に間隔をおいて位置する。
【００２９】
図１５は、化粧枠アッセンブリ９０を下側から見たときの斜視図である。図１５に示すように、枠固定用ねじ９２が第１ねじ孔８５に最後まで締め込まれると、図１４に示すように枠固定用ねじ９２の軸部９７の先端が押え部材７５よりもＺ方向上側に位置する。水平方向（Ｚ方向に直交する方向）における軸部９７と切欠き９６の内面９６ａとの最短距離をａ［ｃｍ］とし、ワッシャ９４の外径をｂ［ｃｍ］とし、ワッシャ９４の貫通孔の内径ｃ［ｃｍ］としたとき、ａ＜（ｂ−ｃ）／２が成立する。このため、ワッシャ９４が、軸部９７から抜け出ることができないようになっている。押え部材７５の切欠き９６の内面９６ａは、ワッシャ９４が枠固定用ねじ９２の軸部９７を抜け出ることを防止できる位置に配置されるワッシャ抜止部の一例となっている。また、押え部材７５の内面９６ａは、軸部９７との距離がワッシャ９４が通過できない距離となっている軸部側部分を構成する。
【００３０】
図１６、すなわち、取付枠３の本体３１を図３とは異なる方向から見たときの斜視図に示すように、取付枠３の本体３１は、枠固定用ねじ９２が締め込まれるねじ孔３８をＺ方向下側の土台部３９に有する。また、図１４に示すように、枠固定用ねじ９２の軸部９７は、押え部材７５よりもＺ方向上側に位置する雄ねじ部９７ｃを含む。この雄ねじ部９７ｃが、図１６に示す取付枠３のねじ孔３８に締め込まれると、全ての主要部品が一体に統合され、照明装置１が構成される。
【００３１】
以上、照明装置１は、光源４２を備えると共に、光源４２からの光が通過する円筒孔（貫通孔）８１（図１２参照）を有してＺ方向の光出射側に環状のフランジ部８４を有する化粧枠８０を備える。また、照明装置１は、光源４２に対して静止している取付枠（静止部）３に化粧枠８０を固定するための枠固定用ねじ９２を備える。また、照明装置１は、枠固定用ねじ９２の軸部９７に嵌め込まれるワッシャ９４を備え、ワッシャ９４は、そのＺ方向の光出射側が化粧枠８０の底面（Ｚ方向の端面）８２と接触することで枠固定用ねじ９２が化粧枠８０から抜け出るのを抑制する。ここで、ワッシャ９４が、枠固定用ねじ９２の軸部９７の延在方向に直交する方向に広がっている場合、ワッシャ９４のＺ方向の光出射側の面９４ａ（図１１参照）が化粧枠８０の底面８２に接触することで、枠固定用ねじ９２が化粧枠８０から離脱することが抑制される。また、照明装置１は、化粧枠８０に対して静止してワッシャ９４が軸部９７から抜けることを防止できる位置に配置されるワッシャ抜止部を備える。
【００３２】
したがって、化粧枠８０を枠固定用ねじ９２で光源４２に対して静止している静止部に確実に固定できる。よって、照明装置１からの化粧枠８０の脱落を確実に防止できる。また、ワッシャ９４が枠固定用ねじ９２の軸部９７に嵌め込み固定されているので、枠固定用ねじ９２の軸部９７が施工時等に静止部から外れて、枠固定用ねじ９２が下側に移動しても、ワッシャ９４が底面８２へ接触する。よって、枠固定用ねじ９２が下方に落下することを抑制でき、その結果、枠固定用ねじ９２が施工時に紛失することを抑制でき、施工時の作業性を向上できる。
【００３３】
また、照明装置１は、透光性を有する材料で構成される板状のカバー部７４を含んで水分がＺ方向の光出射側から光源４２側に浸入するのを抑制できる防水カバー９５を備えてもよい。また、照明装置１は、防水カバー９５よりもＺ方向の光源４２側に配置され、環状の板形状を有する押え部材７５を備えてもよい。また、照明装置１は、押え部材７５が防水カバー９５を光出射側に押圧するように押え部材７５を化粧枠８０に固定するための押え部材固定用ねじ９９を備えてもよい。また、押え部材７５が、軸部９７との距離がワッシャ９４が通過できない距離となっている軸部側部分を有して、ワッシャ抜止部が、その軸部側部分を含んでもよい。
【００３４】
本構成によれば、光源４２等の内部部品が水分で劣化するのを防水カバー９５で抑制できる。更には、防水カバー９５を化粧枠８０に固定するのに用いる押え部材７５を利用して枠固定用ねじ９２の軸部９７からのワッシャ９４の離脱も抑制できる。したがって、ワッシャ９４の紛失を抑制でき、施工時の作業性を更に向上させることができる。
【００３５】
また、押え部材７５が、Ｚ方向の両側と径方向の外方側に開口する切欠き９６を有してもよく、軸部９７が、切欠き９６に収容される収容部９７ｂを含んでもよい。また、軸部側部分が、切欠き９６の内面９６ａを含んでもよい。
【００３６】
上記構成によれば、照明装置１の径方向寸法を低減し易くて照明装置１をコンパクトに形成し易く、しかも、カバー部７４及びレンズ６５の径方向寸法を大きくし易い。
【００３７】
また、切欠き９６の内面９６ａが、軸部９７に対して間隔をおいて位置してもよい。
【００３８】
本構成によれば、施工をより円滑に実行できる。
【００３９】
なお、本開示は、上記実施形態およびその変形例に限定されるものではなく、本願の特許請求の範囲に記載された事項およびその均等な範囲において種々の改良や変更が可能である。
【００４０】
例えば、図１１に示すように、上記実施形態では、化粧枠アッセンブリ９０が、２つの枠固定用ねじ９２と、２つの押え部材固定用ねじ９９を有している。しかし、照明装置は、１つのみの枠固定用ねじを有してもよく、３以上の枠固定用ねじを有してもよい。また、照明装置は、１つのみの押え部材固定用ねじを有してもよく、３以上の押え部材固定用ねじを有してもよい。
【００４１】
また、環状の押え部材７５が、Ｚ方向の両側と径方向の外方側に開口する切欠き９６を有して、枠固定用ねじ９２の軸部９７が、切欠き９６に収容される収容部９７ｂを有する場合について説明した。しかし、環状の押え部材は、Ｚ方向の両側と径方向の外方側に開口する切欠きを有さなくてもよく、押え部材が、枠固定用ねじの軸部との距離がワッシャが通過不可能な距離となっている外周側部分を有してもよい。
【００４２】
また、環状の押え部材７５が、化粧枠８０に対して静止して、ワッシャ９４が軸部９７から抜けることを防止できる位置に配置されるワッシャ抜止部を備える場合について説明した。しかし、照明装置は、防水カバー及び押え部材を備えなくてもよい。そして、取付枠、又はレンズが、光軸方向下側に突出する突出部を有してもよい。そして、その突出部と、枠固定用ねじの軸部との距離が、その軸部に圧入等で嵌め込み固定されているワッシャが軸部から離脱不可能な距離となっていてもよい。つまり、ワッシャ抜止部を、当該突出部で構成することで、ワッシャの軸部からの離脱を抑制してワッシャの紛失を抑制してもよい。
【００４３】
又は、照明装置は、防水カバー及び押え部材を備えなくてもよく、取付枠、又はレンズのフランジ部が、ねじ孔を有してもよい。また、そのねじ孔に光軸方向上側から挿入したねじの軸部を光軸方向下側に突出させてもよい。そして、そのねじの軸部と、枠固定用ねじの軸部との距離が、枠固定用ねじの軸部に圧入等で嵌め込み固定されているワッシャが枠固定用ねじの軸部から離脱不可能な距離となっていてもよい。このようにして、ワッシャ抜止部を、取付枠又はレンズのフランジ部のねじ孔に挿入されたねじの軸部で構成することで、枠固定用ねじの軸部からのワッシャの離脱を抑制してワッシャの紛失を抑制してもよい。
【００４４】
又は、照明装置は、防水カバー及び押え部材を備えなくてもよく、照明装置が、側壁部等に締め込まれて、略水平方向に延在するねじを有してもよい。そして、このねじの軸部と、枠固定用ねじの軸部との距離が、枠固定用ねじの軸部に圧入等で嵌め込み固定されているワッシャが枠固定用ねじの軸部から離脱不可能な距離となっていてもよい。このようにして、ワッシャ抜止部を、略水平方向に延在するねじの軸部で構成することで、枠固定用ねじの軸部からのワッシャの離脱を抑制してワッシャの紛失を抑制してもよい。
【００４５】
更には、ダウンライトやスポットライトは多種多様な構造が存在するが、本開示の技術は、それらの多種多様のダウンライトやスポットライトのうちのいずれの構造が基本となっていてもよい。また、照明装置１が、埋め込み型ダウンライトである場合について説明したが、照明装置は、レールに吊り下げられる形式や、天井に吊り下げられる形式でもよい。要は、本開示の照明装置は、光源と、光源からの光が通過する貫通孔を有し、光軸方向の光出射側に環状のフランジ部を有する化粧枠と、光源に対して静止している静止部に化粧枠を固定するための枠固定用ねじと、枠固定用ねじの軸部に嵌め込まれ、光軸方向の光出射側が化粧枠の光軸方向の端面と接触することで枠固定用ねじが化粧枠から抜け出るのを抑制するワッシャと、化粧枠に対して静止し、ワッシャが軸部から抜けることを防止できる位置に配置されるワッシャ抜止部と、を備える構造を有していれば、如何なる構造の照明装置でもよい。
【符号の説明】
【００４６】
１  照明装置、  ３  取付枠（静止部）、  ４２  光源、  ７４  カバー部、  ７５  押え部材、  ８０  化粧枠、  ８１  円筒孔（化粧枠の貫通孔）、  ８２  化粧枠の底面（光軸方向の端面）、  ８４  化粧枠のフランジ部、  ９２  枠固定用ねじ、  ９４  ワッシャ、  ９５  防水カバー、  ９６  切欠き、  ９６ａ  切欠きの内面、  ９７  枠固定用ねじの軸部、  ９７ｂ  収容部、  ９９  押え部材固定用ねじ、  Ｚ方向  光軸方向。
【図１】
2020087555.tif 000003
【図２】
2020087555.tif 000004
【図３】
2020087555.tif 000005
【図４】
2020087555.tif 000006
【図５】
2020087555.tif 000007
【図６】
2020087555.tif 000008
【図７】
2020087555.tif 000009
【図８】
2020087555.tif 000010
【図９】
2020087555.tif 000011
【図１０】
2020087555.tif 000012
【図１１】
2020087555.tif 000013
【図１２】
2020087555.tif 000014
【図１３】
2020087555.tif 000015
【図１４】
2020087555.tif 000016
【図１５】
2020087555.tif 000017
【図１６】
2020087555.tif 000018